(57)【要約】【課題】より高いセキュリティでアドホックモードの無線通信を行うことができる。【解決手段】携帯して移動するデジタルカメラ３０からアドホックモードで印刷用の通信を行うリクエストを受信したときにはプリンタ２０がインフラストラクチャモードからアドホックモードに切り替え、動的に今回の印刷処理用の暗号化に関する情報を含む無線設定を生成し、この無線設定を、デジタルカメラ３０から取得した暗号化キーを用いて暗号化してこれに送信する。そして、無線設定に基づく暗号化アドホックモードでプリンタ２０とデジタルカメラ３０とが情報を送受信する。このように、デジタルカメラ３０からアドホックモードでの通信要求を受信するだけで、プリンタ２０がアドホックモードの無線通信に切り替わるし、今回の印刷通信に用いる無線設定を動的に生成するため、次回以降に同じ設定で通信するのを抑制する。【選択図】図１
2008211638.tif 000002
【特許請求の範囲】
【請求項１】
携帯して移動可能である処理要求装置とネットワークを介して情報のやり取りを行い所定の処理を実行する処理実行装置であって、
アドホックモードとインフラストラクチャモードとを切替可能であり無線により前記処理要求装置へ情報を送信及び受信可能な切替送受信手段と、
前記切替送受信手段が前記処理要求装置からアドホックモードで通信を行う要求であるアドホック要求を受信したときには前記切替送受信手段をアドホックモードに切り替える切替実行手段と、
前記切替送受信手段が前記処理要求装置から前記アドホック要求を受信したあと前記処理要求装置との間で今回の前記所定の処理を実行する際に情報の送受信に用いる実行側暗号情報を動的に生成する暗号生成手段と、
前記アドホック要求に対する応答のいずれかに前記生成した実行側暗号情報を含めて前記処理要求装置へ送信し、その後前記切替実行手段によって切り替えられたアドホックモードで前記実行側暗号情報を用いて前記処理要求装置と情報を送受信するよう前記切替送受信手段を制御する実行制御手段と、
を備えた処理実行装置。
【請求項２】
前記実行制御手段は、前記切替送受信手段が前記処理要求装置から前記アドホック要求と一緒に又は別々に該処理要求装置が情報を復号化可能な要求側暗号情報を受信し、前記暗号生成手段が生成した実行側暗号情報を前記要求側暗号情報に基づいて暗号化し該暗号化した実行側暗号情報を前記処理要求装置へ送信するよう前記切替送受信手段を制御する、請求項１に記載の処理実行装置。
【請求項３】
前記切替実行手段は、前記切替送受信手段が受信した前記処理実行装置との通信の開始に用いられるプローブリクエストの拡張領域に前記アドホック要求が格納されているときには、前記切替送受信手段をアドホックモードに切り替える、請求項１又は２に記載の処理実行装置。
【請求項４】
請求項１〜３のいずれかに記載の処理実行装置であって、
前記所定の処理として画像情報を印刷媒体へ印刷処理する印刷実行手段、を備え、
前記実行制御手段は、前記切替送受信手段がアドホックモードで前記処理要求装置から受信した画像情報を前記印刷媒体へ印刷処理するよう前記印刷実行手段を制御する、処理実行装置。
【請求項５】
携帯して移動可能であり、処理実行装置とネットワークを介して情報のやり取りを行い所定の処理を実行させる処理要求装置であって、
アドホックモードで無線により前記処理実行装置へ情報を送信及び受信可能なアドホック送受信手段と、
アドホックモードで通信を行う要求であるアドホック要求を前記処理実行装置へ送信するよう前記アドホック送受信手段を制御したあと、前記アドホック送受信手段が前記処理実行装置から今回の前記所定の処理を実行する際に情報の送受信に用いる実行側暗号情報を受信したときには、前記処理実行装置へ送信する前記所定の処理に用いる情報に該受信した実行側暗号情報に基づいて暗号化を施し該暗号化した情報を前記処理実行装置へアドホックモードで送信するよう前記アドホック送受信手段を制御する要求制御手段と、
を備えた処理要求装置。
【請求項６】
前記要求制御手段は、該要求制御手段が情報を復号化可能な予め定められた要求側暗号情報を前記アドホック要求と一緒に又は別々に前記処理実行装置へ送信するよう前記アドホック送受信手段を制御し、前記処理実行装置が生成し前記要求側暗号情報に基づいて暗号化された実行側暗号情報を前記アドホック送受信手段が前記処理実行装置から受信したときには、該受信した実行側暗号情報を前記要求側暗号情報に基づいて復号化し、該復号化した実行側暗号情報を用いて今回の前記所定の処理を実行する情報を暗号化し該暗号化した情報を送信するよう前記アドホック送受信手段を制御する、請求項５に記載の処理要求装置。
【請求項７】
前記要求制御手段は、前記処理実行装置との通信の開始に用いられるプローブリクエストの拡張領域に前記アドホック要求を格納し該格納したプローブリクエストを前記処理実行装置へ送信するよう前記アドホック送受信手段を制御する、請求項５又は６に記載の処理要求装置。
【請求項８】
請求項５〜７のいずれかに記載の処理要求装置であって、
被写体を撮像し該撮像した情報に基づき画像情報を生成する撮像手段、を備え、
前記要求制御手段は、前記撮像手段によって生成された画像情報を前記所定の処理に用いる情報として前記処理実行装置へ送信するよう前記アドホック送受信手段を制御する、処理要求装置。
【請求項９】
請求項１〜４のいずれかに記載の処理実行装置と、
請求項５〜８のいずれかに記載の処理要求装置と、
を備えた処理要求実行システム。
【請求項１０】
携帯して移動可能である処理要求装置とネットワークを介して情報のやり取りを行い所定の処理を実行し、アドホックモードとインフラストラクチャモードとを切替可能であり無線により前記処理要求装置へ情報を送信及び受信可能な切替送受信手段を備えた処理実行装置のコンピュータプログラムによる制御方法であって、
（ａ）前記切替送受信手段が前記処理要求装置からアドホックモードで通信を行う要求であるアドホック要求を受信したときには前記切替送受信手段をアドホックモードに切り替えるステップと、
（ｂ）前記切替送受信手段が前記処理要求装置から前記アドホック要求を受信したあと前記処理要求装置との間で今回の前記所定の処理を実行する際に情報の送受信に用いる実行側暗号情報を動的に生成するステップと、
（ｃ）前記アドホック要求に対する応答のいずれかに前記ステップ（ｂ）で生成した実行側暗号情報を含めて前記処理要求装置へ送信し、その後前記ステップ（ａ）で切り替えられたアドホックモードで前記実行側暗号情報を用いて前記処理要求装置と情報を送受信するよう前記切替送受信手段を制御するステップと、
を含む処理実行装置の制御方法。
【請求項１１】
携帯して移動可能であり、処理実行装置とネットワークを介して情報のやり取りを行い所定の処理を実行させ、アドホックモードで無線により前記処理実行装置へ情報を送信及び受信可能なアドホック送受信手段を備えた処理要求装置のコンピュータプログラムによる制御方法であって、
（ａ）アドホックモードで通信を行う要求であるアドホック要求を前記処理実行装置へ送信するよう前記アドホック送受信手段を制御するステップと、
（ｂ）前記ステップ（ａ）のあと、前記アドホック送受信手段が前記処理実行装置から今回の前記所定の処理を実行する際に情報の送受信に用いる実行側暗号情報を受信したときには、前記処理実行装置へ送信する前記所定の処理に用いる情報に該受信した実行側暗号情報に基づいて暗号化を施し該暗号化した情報を前記処理実行装置へアドホックモードで送信するよう前記アドホック送受信手段を制御するステップと、
を含む処理要求装置の制御方法。
【請求項１２】
請求項１０に記載の処理実行装置の制御方法の各ステップを１以上のコンピュータに実行させるためのプログラム。
【請求項１３】
請求項１１に記載の処理要求装置の制御方法の各ステップを１以上のコンピュータに実行させるためのプログラム。
【発明の詳細な説明】
【技術分野】
【０００１】
本発明は、処理実行装置、処理要求装置、それらの制御方法及びそれらのプログラムに関する。
【背景技術】
【０００２】
従来、処理実行装置としては、インフラストラクチャモードとアドホックモードとに対応する無線ＬＡＮを利用可能な無線ＬＡＮインタフェースと、画像を印刷可能なプリントエンジンとを備え、暗号化に関する情報を含む無線ＬＡＮの設定を二次元バーコードとして印刷出力し、この印刷された二次元バーコードをデジタルカメラが撮影するという比較的簡単な方法で無線ＬＡＮの設定に関する情報をデジタルカメラに伝えるものが提案されている（例えば、特許文献１参照）。
【特許文献１】特開２００６−１０６３号公報
【発明の開示】
【発明が解決しようとする課題】
【０００３】
しかしながら、この特許文献１に記載された処理実行装置では、無線ＬＡＮインタフェースがインフラストラクチャモードとアドホックモードとに対応してはいるが、この両モードの使い分けについては考慮されておらず、インフラストラクチャモードとアドホックモードとを切り替える際には、様々な入力が必要であり、簡便ではなかった。また、携帯して移動した先でデジタルカメラをＬＡＮに接続しようとすると、その移動先のＬＡＮの設定を二次元バーコードに印刷し、デジタルカメラが撮影して入力することになるが、そうすると、携帯して外部で利用するようなものに、暗号化に関する情報を含むＬＡＮの設定を入れてしまうことになるため、ＬＡＮのセキュリティが下がってしまう問題があった。
【０００４】
本発明は、このような課題に鑑みなされたものであり、より簡便にアドホックモードの無線通信を行うことができる処理実行装置、処理要求装置、それらの制御方法及びそれらのプログラムを提供することを目的の一つとする。また、より高いセキュリティでアドホックモードの無線通信を行うことができる処理実行装置、処理要求装置、それらの制御方法及びそれらのプログラムを提供することを目的の一つとする。
【課題を解決するための手段】
【０００５】
本発明は、上述の目的の少なくとも一つを達成するために以下の手段を採った。
【０００６】
本発明の処理実行装置は、
携帯して移動可能である処理要求装置とネットワークを介して情報のやり取りを行い所定の処理を実行する処理実行装置であって、
アドホックモードとインフラストラクチャモードとを切替可能であり無線により前記処理要求装置へ情報を送信及び受信可能な切替送受信手段と、
前記切替送受信手段が前記処理要求装置からアドホックモードで通信を行う要求であるアドホック要求を受信したときには前記切替送受信手段をアドホックモードに切り替える切替実行手段と、
前記切替送受信手段が前記処理要求装置から前記アドホック要求を受信したあと前記処理要求装置との間で今回の前記所定の処理を実行する際に情報の送受信に用いる実行側暗号情報を動的に生成する暗号生成手段と、
前記アドホック要求に対する応答のいずれかに前記生成した実行側暗号情報を含めて前記処理要求装置へ送信し、その後前記切替実行手段によって切り替えられたアドホックモードで前記実行側暗号情報を用いて前記処理要求装置と情報を送受信するよう前記切替送受信手段を制御する実行制御手段と、
を備えたものである。
【０００７】
この処理実行装置では、アドホックモードとインフラストラクチャモードとを切り替えて無線により処理要求装置へ情報を送信及び受信可能であり、処理要求装置からアドホックモードで通信を行う要求であるアドホック要求を受信したときにはアドホックモードに切り替える一方、処理要求装置からアドホック要求を受信したあと処理要求装置との間で今回の所定の処理を実行する際に情報の送受信に用いる実行側暗号情報を動的に生成し、アドホック要求に対する応答のいずれかにこの生成した実行側暗号情報を含めて処理要求装置へ送信し、その後、切り替えられたアドホックモードで実行側暗号情報を用いて処理要求装置と情報を送受信する。したがって、処理要求装置からアドホックモードでの通信要求を受信するだけでアドホックモードの無線通信に切り替わるため、より簡便にアドホックモードの無線通信を行うことができる。また、アドホック要求があると動的に今回の処理用の実行側暗号情報を生成するため、次回には処理要求装置が今回の実行側暗号情報を用いることができないから、携帯可能な処理要求装置との間の通信に対してより高いセキュリティでアドホックモードの無線通信を行うことができる。また、携帯して移動可能な処理要求装置との間では、固定的に用いられるインフラストラクチャモードの無線の設定をこのような処理要求装置に入力して通信するよりも、１対１によるアドホックモードを用いて通信する方がセキュリティの面からみて好ましい。
【０００８】
本発明の処理実行装置において、前記実行制御手段は、前記切替送受信手段が前記処理要求装置から前記アドホック要求と一緒に又は別々に該処理要求装置が情報を復号化可能な要求側暗号情報を受信し、前記暗号生成手段が生成した実行側暗号情報を前記要求側暗号情報に基づいて暗号化し該暗号化した実行側暗号情報を前記処理要求装置へ送信するよう前記切替送受信手段を制御するものとしてもよい。こうすれば、処理要求装置で解析可能な暗号化を行い実行側暗号情報を処理要求装置へ送信するため、実行側暗号情報をそのまま処理要求装置へ送信するものに比して、携帯可能な処理要求装置との間の通信に対して一層高いセキュリティでアドホックモードの無線通信を行うことができる。
【０００９】
本発明の処理実行装置において、前記切替実行手段は、前記切替送受信手段が受信した前記処理実行装置との通信の開始に用いられるプローブリクエストの拡張領域に前記アドホック要求が格納されているときには、前記切替送受信手段をアドホックモードに切り替えるものとしてもよい。こうすれば、プローブリクエストの拡張領域を確認すればよいため、比較的容易に受信した情報がアドホック要求であるか否かを判定することができる。
【００１０】
本発明の処理実行装置は、前記所定の処理として画像情報を印刷媒体へ印刷処理する印刷実行手段、を備え、前記実行制御手段は、前記切替送受信手段がアドホックモードで前記処理要求装置から受信した画像情報を前記印刷媒体へ印刷処理するよう前記印刷実行手段を制御するものとしてもよい。このように、携帯して移動可能な処理要求装置から画像を受信して印刷する際には、アドホックモードで情報の送受信を行うのが、セキュリティの面から好ましい。
【００１１】
本発明の処理要求装置は、
携帯して移動可能であり、処理実行装置とネットワークを介して情報のやり取りを行い所定の処理を実行させる処理要求装置であって、
アドホックモードで無線により前記処理実行装置へ情報を送信及び受信可能なアドホック送受信手段と、
アドホックモードで通信を行う要求であるアドホック要求を前記処理実行装置へ送信するよう前記アドホック送受信手段を制御したあと、前記アドホック送受信手段が前記処理実行装置から今回の前記所定の処理を実行する際に情報の送受信に用いる実行側暗号情報を受信したときには、前記処理実行装置へ送信する前記所定の処理に用いる情報に該受信した実行側暗号情報に基づいて暗号化を施し該暗号化した情報を前記処理実行装置へアドホックモードで送信するよう前記アドホック送受信手段を制御する要求制御手段と、
を備えたものである。
【００１２】
この処理要求装置では、アドホックモードで無線により処理実行装置へ情報を送信及び受信可能であり、アドホックモードで通信を行う要求であるアドホック要求を処理実行装置へ送信したあと、処理実行装置から今回の所定の処理を実行する際に情報の送受信に用いる実行側暗号情報を受信したときには、処理実行装置へ送信する所定の処理に用いる情報にこの受信した実行側暗号情報に基づいて暗号化を施しこの暗号化した情報を処理実行装置へアドホックモードで送信する。したがって、アドホックモードでの通信要求を送信するだけで処理実行装置側でアドホックモードの無線通信に切り替わるため、より簡便にアドホックモードの無線通信を行うことができる。また、処理実行装置から受信した今回の処理用の実行側暗号情報を用いて通信を実行するため、携帯可能な処理要求装置との間の通信に対してより高いセキュリティでアドホックモードの無線通信を行うことができる。また、処理要求装置は、携帯して移動可能であるため、固定的に用いられる処理実行装置のインフラストラクチャモードの無線の設定を入力して通信するよりも、１対１によるアドホックモードを用いて通信する方がセキュリティの面からみて好ましい。
【００１３】
本発明の処理要求装置において、前記要求制御手段は、該要求制御手段が情報を復号化可能な予め定められた要求側暗号情報を前記アドホック要求と一緒に又は別々に前記処理実行装置へ送信するよう前記アドホック送受信手段を制御し、前記処理実行装置が生成し前記要求側暗号情報に基づいて暗号化された実行側暗号情報を前記アドホック送受信手段が前記処理実行装置から受信したときには、該受信した実行側暗号情報を前記要求側暗号情報に基づいて復号化し、該復号化した実行側暗号情報を用いて今回の前記所定の処理を実行する情報を暗号化し該暗号化した情報を送信するよう前記アドホック送受信手段を制御するものとしてもよい。こうすれば、処理要求装置で復号化可能な暗号化を行った実行側暗号情報を処理実行装置から受信するため、携帯可能な処理要求装置との間の通信に対して一層高いセキュリティが得られる。
【００１４】
本発明の処理要求装置において、前記要求制御手段は、前記処理実行装置との通信の開始に用いられるプローブリクエストの拡張領域に前記アドホック要求を格納し該格納したプローブリクエストを前記処理実行装置へ送信するよう前記アドホック送受信手段を制御するものとしてもよい。こうすれば、比較的容易にアドホック要求を処理実行装置へ送信することができる。
【００１５】
本発明の処理要求装置は、被写体を撮像し該撮像した情報に基づき画像情報を生成する撮像手段、を備え、前記要求制御手段は、前記撮像手段によって生成された画像情報を前記所定の処理に用いる情報として前記処理実行装置へ送信するよう前記アドホック送受信手段を制御するものとしてもよい。撮像装置は、携帯して移動可能であり、アドホックモードでネットワークに参加したいことが多いため、本発明を適用する意義が高い。
【００１６】
本発明の処理要求実行システムは、上述したいずれかに記載の処理実行装置と、上述したいずれかに記載の処理要求装置と、を備えたものである。上述した処理実行装置や上述した処理要求装置は、より簡便にアドホックモードの無線通信を行うことができるものであり、より高いセキュリティでアドホックモードの無線通信を行うことができるものであるから、本発明の処理要求実行システムも同様の効果を奏する。
【００１７】
本発明の処理実行装置の制御方法は、
携帯して移動可能である処理要求装置とネットワークを介して情報のやり取りを行い所定の処理を実行し、アドホックモードとインフラストラクチャモードとを切替可能であり無線により前記処理要求装置へ情報を送信及び受信可能な切替送受信手段を備えた処理実行装置のコンピュータプログラムによる制御方法であって、
（ａ）前記切替送受信手段が前記処理要求装置からアドホックモードで通信を行う要求であるアドホック要求を受信したときには前記切替送受信手段をアドホックモードに切り替えるステップと、
（ｂ）前記切替送受信手段が前記処理要求装置から前記アドホック要求を受信したあと前記処理要求装置との間で今回の前記所定の処理を実行する際に情報の送受信に用いる実行側暗号情報を動的に生成するステップと、
（ｃ）前記アドホック要求に対する応答のいずれかに前記ステップ（ｂ）で生成した実行側暗号情報を含めて前記処理要求装置へ送信し、その後前記ステップ（ａ）で切り替えられたアドホックモードで前記実行側暗号情報を用いて前記処理要求装置と情報を送受信するよう前記切替送受信手段を制御するステップと、
を含むものである。
【００１８】
この処理実行装置の制御方法では、アドホックモードとインフラストラクチャモードとを切り替えて無線により処理要求装置へ情報を送信及び受信可能であり、処理要求装置からアドホックモードで通信を行う要求であるアドホック要求を受信したときにはアドホックモードに切り替える一方、処理要求装置からアドホック要求を受信したあと処理要求装置との間で今回の所定の処理を実行する際に情報の送受信に用いる実行側暗号情報を動的に生成し、アドホック要求に対する応答のいずれかにこの生成した実行側暗号情報を含めて処理要求装置へ送信し、その後、切り替えられたアドホックモードで実行側暗号情報を用いて処理要求装置と情報を送受信する。したがって、処理要求装置からアドホックモードでの通信要求を受信するだけでアドホックモードの無線通信に切り替わるため、より簡便にアドホックモードの無線通信を行うことができる。また、アドホック要求があると動的に今回の処理用の実行側暗号情報を生成するため、次回には処理要求装置が今回の実行側暗号情報を用いることができないから、携帯可能な処理要求装置との間の通信に対してより高いセキュリティでアドホックモードの無線通信を行うことができる。また、携帯して移動可能な処理要求装置との間では、固定的に用いられるインフラストラクチャモードの無線の設定をこのような処理要求装置に入力して通信するよりも、１対１によるアドホックモードを用いて通信する方がセキュリティの面からみて好ましい。なお、この処理実行装置の制御方法において、上述した処理実行装置の種々の態様を採用してもよいし、また、上述した処理実行装置の各機能を実現するようなステップを追加してもよい。
【００１９】
本発明の処理要求装置の制御方法は、
携帯して移動可能であり、処理実行装置とネットワークを介して情報のやり取りを行い所定の処理を実行させ、アドホックモードで無線により前記処理実行装置へ情報を送信及び受信可能なアドホック送受信手段を備えた処理要求装置のコンピュータプログラムによる制御方法であって、
（ａ）アドホックモードで通信を行う要求であるアドホック要求を前記処理実行装置へ送信するよう前記アドホック送受信手段を制御するステップと、
（ｂ）前記ステップ（ａ）のあと、前記アドホック送受信手段が前記処理実行装置から今回の前記所定の処理を実行する際に情報の送受信に用いる実行側暗号情報を受信したときには、前記処理実行装置へ送信する前記所定の処理に用いる情報に該受信した実行側暗号情報に基づいて暗号化を施し該暗号化した情報を前記処理実行装置へアドホックモードで送信するよう前記アドホック送受信手段を制御するステップと、
を含むものである。
【００２０】
この処理要求装置の制御方法では、アドホックモードで無線により処理実行装置へ情報を送信及び受信可能であり、アドホックモードで通信を行う要求であるアドホック要求を処理実行装置へ送信したあと、処理実行装置から今回の所定の処理を実行する際に情報の送受信に用いる実行側暗号情報を受信したときには、処理実行装置へ送信する所定の処理に用いる情報にこの受信した実行側暗号情報に基づいて暗号化を施しこの暗号化した情報を処理実行装置へアドホックモードで送信する。したがって、アドホックモードでの通信要求を送信するだけで処理実行装置側でアドホックモードの無線通信に切り替わるため、より簡便にアドホックモードの無線通信を行うことができる。また、処理実行装置から受信した今回の処理用の実行側暗号情報を用いて通信を実行するため、携帯可能な処理要求装置との間の通信に対してより高いセキュリティでアドホックモードの無線通信を行うことができる。また、処理要求装置は、携帯して移動可能であるため、固定的に用いられる処理実行装置のインフラストラクチャモードの無線の設定を入力して通信するよりも、１対１によるアドホックモードを用いて通信する方がセキュリティの面からみて好ましい。なお、この処理要求装置の制御方法において、上述した処理要求装置の種々の態様を採用してもよいし、また、上述した処理要求装置の各機能を実現するようなステップを追加してもよい。
【００２１】
本発明のプログラムは、上述した処理実行装置の制御方法又は上述した処理要求装置の制御方法の各ステップを１又は複数のコンピュータに実現させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述したいずれかの制御方法の各ステップが実行されるため、該制御方法と同様の作用効果が得られる。
【発明を実施するための最良の形態】
【００２２】
次に本発明を具現化した一実施形態について説明する。図１は本発明の一実施形態である印刷要求実行システム１０の構成の概略を示す構成図である。この印刷要求実行システム１０は、アクセスポイント１２を中継点とする無線ＬＡＮ１４に接続するユーザパソコン（ＰＣ）１６及びユーザＰＣ１８と、アクセスポイント１２を中継点とする無線ＬＡＮ１４に接続し画像を記録紙Ｓに印刷するプリンタ２０と、このプリンタ２０と無線により接続するデジタルカメラ３０とによって構成されている。ユーザＰＣ１６，１８は、各種情報を画面表示するディスプレイや、ユーザが各種指令を入力するキーボード等の入力装置などを備え、ユーザが使用する周知の汎用パソコンであり、プリンタ２０に無線ＬＡＮ１４を介して印刷データを送信してこの印刷データの印刷処理を実行させたりする。
【００２３】
プリンタ２０は、装置全体の制御を司るコントローラ２１と、記録紙Ｓへ画像を印刷処理する印刷機構２６と、ユーザへ情報を表示可能でありユーザの指示を入力可能である操作パネル２７と、無線ＬＡＮ１４と接続する無線インタフェース（Ｉ／Ｆ）ボード２８と、を備えている。コントローラ２１は、ＣＰＵ２２を中心とするマイクロプロセッサとして構成されており、各種処理プログラムを記憶し情報を書き込み消去可能なフラッシュＲＯＭ２３と、一時的にデータを記憶するＲＡＭ２４と、無線Ｉ／Ｆボード２８の通信モードをインフラテクチャモードとアドホックモードとに切替制御する無線モード切替部２５とを備えている。印刷機構２６は、図示しないが、各色のインクに圧力をかけ、この加圧されたインクを記録紙Ｓに吐出して印刷処理を実行するインクジェット方式の機構である。操作パネル２７は、ユーザがプリンタ２０に対して各種の指示を入力するためのデバイスであり、各種の指示に応じた文字や画像が表示される表示部２７ａや、各種操作を行う操作部２７ｂが設けられている。無線Ｉ／Ｆボード２８は、インフラテクチャモードとアドホックモードとのいずれかのモードに切り替え外部機器と通信するためのデバイスである。コントローラ２１や印刷機構２６、操作パネル２７、無線Ｉ／Ｆボード２８は、バス２９によって電気的に接続されている。
【００２４】
デジタルカメラ３０は、各種制御を実行するコントローラ３１と、入射した光を撮像素子により電気信号に変換し画像ファイルを生成する撮像ユニット３６と、ユーザへ情報を表示可能でありユーザの指示を入力可能である操作パネル３７と、無線ＬＡＮ１４のアドホックモードで外部機器と接続する無線Ｉ／Ｆボード３８と、を備えている。コントローラ３１は、ＣＰＵ３２を中心とするマイクロプロセッサとして構成されており、各種処理プログラムを記憶し情報を書き込み消去可能なフラッシュＲＯＭ３３と、一時的にデータを記憶したりデータを保存したりするＲＡＭ３４と、無線Ｉ／Ｆボード３８の通信モードをインフラテクチャモードとアドホックモードとに切替制御する無線モード切替部３５とを備えている。撮像ユニット３６は、撮像素子（例えばＣＣＤやＣＭＯＳなど）により入射した光をレッド「Ｒ」、グリーン「Ｇ」、ブルー「Ｂ」の各色に分解して得られた電気信号に基づいて画像ファイルを生成可能に構成されている。操作パネル３７は、ユーザがデジタルカメラ３０に対して各種の指示を入力するためのデバイスであり、各種の指示に応じた文字や画像が表示される表示部３７ａや、各種操作を行う操作部３７ｂが設けられている。無線Ｉ／Ｆボード３８は、インフラテクチャモードとアドホックモードとのいずれかのモードに切り替え外部機器と通信するためのデバイスである。コントローラ３１や撮像ユニット３６、操作パネル３７、無線Ｉ／Ｆボード３８は、バス３９によって電気的に接続されている。
【００２５】
次に、こうして構成された本実施形態の印刷要求実行システム１０の動作について、特に、デジタルカメラ３０に記憶された情報を無線ＬＡＮ１４のアドホックモードで送信する動作について説明する。ここでは、無線ＬＡＮ１４とは別のＬＡＮを利用しているユーザ（例えば別部署に配属されているユーザ）がデジタルカメラ３０に記憶された画像ファイルを無線ＬＡＮ１４のアドホックモードでプリンタ２０へ送信し印刷を実行する動作について主に説明する。図２は、デジタルカメラ３０のＣＰＵ３２により実行されるアドホック処理要求ルーチンの一例を示すフローチャートである。このルーチンは、フラッシュＲＯＭ３３に記憶されており、デジタルカメラ３０の表示部３７ａに表示された画像ファイルの印刷指示が操作部３７ｂの操作により入力されたあと実行される。このルーチンを開始すると、まず、ＣＰＵ３２は、拡張情報を含むＰｒｏｂｅ  Ｒｅｑｕｅｓｔ（以下「リクエスト」と称する）を作成する（ステップＳ１００）。この拡張情報とは、アドホック通信で情報のやりとりを行う要求を表す情報であり、リクエスト内に予め定められた拡張部に格納される。なお、リクエストには、図示しないが、フレームサイズや送信時刻を含むフレーム情報や、プロトコルのバージョンなどを含むフレームコントロール部、エレメントＩＤや各種アドレスを含むアドレス部、各ベンダにより拡張定義可能な領域である拡張部などが格納されている。ここでは、拡張情報のほか、プリンタ２０の状態情報の送信依頼も含めてリクエストを作成するものとした。なお、プリンタ２０は、コントローラ２１によりこの拡張情報を解釈可能に構成されているものとする。次に、ＣＰＵ３２は、作成したリクエストを送信出力するよう無線Ｉ／Ｆボード３８を制御する（ステップＳ１１０）。このリクエストは、ブロードキャストで送信出力する。
【００２６】
次に、ＣＰＵ３２は、Ｐｒｏｂｅ  Ｒｅｓｐｏｎｓｅ（以下「レスポンス」と称する）を無線Ｉ／Ｆボード３８が受信したか否かを判定する（ステップＳ１２０）。レスポンスを受信していないときにはそのまま待機し、レスポンスを受信したときには、レスポンスの内容を確認した上で、レスポンスを送信出力した相手に対して、接続確認と印刷要求とを拡張部に格納したリクエストを送信出力する（ステップＳ１３０）。ここでは、プリンタ２０がレスポンスを送信出力したものとして説明する。このレスポンスの内容には、プリンタ２０の状態、例えば「印刷中」や「待機中」などの状態情報が含まれており、その内容を確認して「印刷中」であれば所定時間の経過後にリクエストを送信したり「待機中」であればすぐにリクエストを送信したりする。なお、このようなレスポンス待ちで所定時間が経過したときには、エラーメッセージを表示部３７ａに表示してこのルーチンを終了するものとした。次に、ＣＰＵ３２は、接続及び印刷要求を確認した旨の情報を含むレスポンスを受信したか否かを判定し（ステップＳ１４０）、レスポンスを受信していないときにはそのまま待機し、レスポンスを受信したときには、デジタルカメラ３０のフラッシュＲＯＭ３３に記憶された固有ＩＤ、暗号化キー及び無線ＬＡＮ１４のアドホックモード用のＩＰアドレスを含むリクエストを送信出力する（ステップＳ１５０）。この固有ＩＤとは、デジタルカメラ３０に付与されたユニークなＩＤであり、フラッシュＲＯＭ３３に記憶されている。また、暗号化キーは、フラッシュＲＯＭ３３に予め記憶された複数の暗号化キーのうちランダムに選択した１つを送信するものとした。そして、レスポンスの受信を待ち、レスポンスを受信したときにはレスポンスの内容が接続許可であるか否かを判定する（ステップＳ１６０）。受信したものが接続許可しない旨のレスポンスであるときには、ＣＰＵ３２は、その旨のメッセージを表示部３７ａに表示し（ステップＳ１７０）、そのままこのルーチンを終了する。
【００２７】
一方、受信したものが接続許可のレスポンスであるときには、ＣＰＵ３２は、無線モード切替部３５に暗号化無しのアドホックモードに切り替えさせ（ステップＳ１８０）、ＴＣＰ／ＩＰプロトコルによってプリンタ２０から送信されたアドホックモードの通信での暗号に関する情報を含む無線設定を受信したか否かを判定する（ステップＳ１９０）。この無線設定には、プリンタ２０から印刷要求を送信するたびにプリンタ２０により動的に生成されるＳＳＩＤ（Ｓｅｒｖｉｃｅ  Ｓｅｔ  ＩＤ）やＷＥＰ（Ｗｉｒｅｄ  Ｅｑｕｉｖａｌｅｎｔ  Ｐｒｉｖａｃｙ）キーなどが含まれている。無線設定を受信していないときには、そのまま待機し、無線設定を受信したときには、受信した無線設定の内容をステップＳ１５０で送信出力した暗号化キーで復号化し（ステップＳ２００）、復号化して得られた無線設定に基づく暗号化アドホックモードに切り替える（ステップＳ２１０）。なお、ここでは、プリンタ２０から受信した無線設定は、ステップＳ１５０で送信した暗号化キーを用いて暗号化されているものとする。
【００２８】
続いて、ＣＰＵ３２は、無線設定が完了した旨のＡＣＫ信号を送信出力し（ステップＳ２２０）、所定時間ウエイトをかけたあと、無線設定に基づく１対１の通信である暗号化アドホックモードを使って印刷データとしての画像ファイルをプリンタ２０へ送信出力する通信処理を実行する（ステップＳ２３０）。そして、通信が終了したか否かを判定し（ステップＳ２４０）、通信が終了していないときにはこれを継続し（ステップＳ２３０）、通信が終了したときには、そのままこのルーチンを終了する。このように、デジタルカメラ３０では、送信先のプリンタ２０がアドホックモードに自動切替可能であれば、固有ＩＤや暗号化キーなどを送信し、今回限りの暗号化を行った状態で情報のやりとりを行うのである。
【００２９】
次に、デジタルカメラ３０に記憶された画像ファイルを無線ＬＡＮ１４のアドホックモードでプリンタ２０が受信する動作について説明する。図３は、プリンタ２０のＣＰＵ２２により実行されるアドホック処理実行ルーチンの一例を示すフローチャートである。このルーチンは、フラッシュＲＯＭ２３に記憶されており、プリンタ２０の電源がオンされたあと所定のタイミング（例えば数ｍｓｅｃなど）ごとに実行される。このルーチンを開始すると、まず、ＣＰＵ２２は、拡張情報を含むリクエストを無線Ｉ／Ｆボード２８が受信したか否かを判定し（ステップＳ３００）、拡張情報を含むリクエストを受信していないときにはこのままこのルーチンを終了する。なお、プリンタ２０は、通常、無線ＬＡＮ１４のインフラストラクチャモードでアクセスポイント１２を介して情報の送受信を行っており、拡張情報を含まないリクエストを受信したときには、インフラストラクチャモードでの送受信処理を行うものとした。また、拡張情報を含むリクエストを受信したときには、アドホックモードの通信を行う可能性が高いものとして以下の処理を行う。具体的には、拡張情報を含むリクエストを受信したときには、ＣＰＵ２２は、プリンタ２０の状態情報を含むレスポンスを送信出力するよう無線Ｉ／Ｆボード２８を制御する（ステップＳ３１０）。この状態情報には、上述したように「印刷中」などの情報が含まれる。
【００３０】
次に、ＣＰＵ２２は、送信元のデジタルカメラ３０からリクエストを受信したか否かを判定し（ステップＳ３２０）、リクエストを受信していないときにはそのまま待機する。一方、リクエストを受信したときには、リクエストの内容を確認しレスポンスを送信出力する（ステップＳ３３０）。ここでは、接続・印刷要求を含むリクエストを受信したものとし、それに対する応答を含むレスポンスを送信するものとした。次に、ＣＰＵ２２は、リクエストを受信したか否かを判定し（ステップＳ３４０）、リクエストを受信していないときにはそのまま待機し、リクエストを受信したときには、そのリクエストの拡張部に格納されたデジタルカメラ３０の固有ＩＤ、暗号化キー及びＩＰアドレスを取得する（ステップＳ３５０）。続いて、ＣＰＵ２２は、取得した固有ＩＤがフラッシュＲＯＭ２３に登録されているか否かを判定する（ステップＳ３６０）。
【００３１】
固有ＩＤが登録されていなかったときには、ＣＰＵ２２は、「未登録のデバイスとアドホック接続します。登録しますがよろしいですか？」という確認メッセージを表示部２７ａに表示させる（ステップＳ３７０）。今、ユーザは、デジタルカメラ３０からプリンタ２０へ画像ファイルを送信して印刷させようとしているから、これらの機器の近くにいる。この固有ＩＤの登録の確認は、例えば、遠くに別のプリンタが設置されているような場合に、この別プリンタが誤ってデジタルカメラ３０からの印刷要求に応答した場合であるかを確認する目的で行われる。また、この固有ＩＤの登録の確認は、２度目以降のアドホックモードでの接続を円滑にする目的でも行われる。確認メッセージを表示部２７ａに表示したあと、ＣＰＵ２２は、登録を了承する旨の操作が操作部２７ｂになされたか否かを判定し（ステップＳ３８０）、ユーザが遠くにいてメッセージを確認できない場合など、所定時間経過しても登録を了承する旨の操作が操作部２７ｂになされないときには、接続を許可しない旨の情報を含むレスポンスを送信出力し（ステップＳ３９０）、そのままこのルーチンを終了する。
【００３２】
一方、ステップＳ３８０で登録を了承する旨の操作が操作部２７ｂになされたときには、ＣＰＵ２２は、取得した固有ＩＤをフラッシュＲＯＭ２３へ登録する（ステップＳ４００）。ステップＳ４００のあと、または、ステップＳ３６０で固有ＩＤが登録されていたときには、ＣＰＵ２２は、接続許可の情報を含むレスポンスを送信出力し（ステップＳ４１０）、無線モード切替部２５に暗号化無しのアドホックモードに切り替えさせる（ステップＳ４２０）。続いて、ＣＰＵ２２は、ＳＳＩＤやＷＥＰキーを含む今回の通信処理だけに用いられる無線設定を動的に生成し（ステップＳ４３０）、ステップＳ３５０で取得した暗号化キーを用いてこの無線設定を暗号化しこの暗号化した無線設定を、ステップＳ３５０で取得したＩＰアドレスへＴＣＰ／ＩＰプロトコルで送信出力する（ステップＳ４４０）。ここで、無線設定は、例えば予め多数のＳＳＩＤやＷＥＰキーをフラッシュＲＯＭ２３に記憶しておき、この中のいずれかを選択することにより動的に生成するものとしてもよいし、所定のロジックに基づいて毎回新たなＳＳＩＤやＷＥＰキーを生成するものとしてもよい。続いて、ＣＰＵ２２は、送信元から無線設定が完了した旨のＡＣＫ信号を受信したか否かを判定し（ステップＳ４５０）、ＡＣＫ信号を受信していないときにはそのまま待機し、ＡＣＫ信号を受信したときには、ステップＳ４３０で生成した無線設定に基づく暗号化アドホックモードに切り替える（ステップＳ４６０）。続いて、ＣＰＵ２２は、無線設定に基づく１対１の通信である暗号化アドホックモードを使って印刷データとしての画像ファイルをデジタルカメラ３０から受信する通信処理を実行する（ステップＳ４７０）。そして、通信が終了したか否かを判定し（ステップＳ４８０）、通信が終了していないときにはこれを継続し（ステップＳ４７０）、通信が終了したときには、インフラストラクチャモードに切り替え（ステップＳ４９０）、そのままこのルーチンを終了する。このように、プリンタ２０では、アドホックモードへの自動切替による印刷指令を受信すると、固有ＩＤや暗号化キーなどを取得してから、今回限りの無線設定を動的に生成し、この暗号化キーや無線設定を用いて暗号化を行った状態で情報のやりとりを行うのである。
【００３３】
ここで、デジタルカメラ３０とプリンタ２０との処理について、図４を用いて説明する。図４は、印刷要求実行システム１０のプリンタ２０とデジタルカメラ３０との各処理及び通信の様子をシーケンシャルに示す説明図である。なお、図４に示した各ステップ番号は、図２及び図３のルーチンの各ステップ番号に対応している。まず、デジタルカメラ３０のＣＰＵ３２は、アドホックモードでの通信を要求する拡張情報を含むリクエストを作成し（ステップＳ１００）、作成したリクエストをプリンタ２０へ送信する（ステップＳ１１０）。これを受けたプリンタ２０のＣＰＵ２２は、アドホックモードの通信を要求されたものとしてプリンタ２０の状態情報を含むレスポンスを応答する（ステップＳ３１０）。次に、デジタルカメラ３０は、接続・印刷要求のリクエストを送信し（ステップＳ１３０）、これを受けたプリンタ２０は、許可レスポンスを応答する（ステップＳ３３０）。すると、デジタルカメラ３０は、接続・印刷が可能であるものとして固有ＩＤや暗号化キーなどを含むリクエストを送信する（ステップＳ１５０）。これを受けたプリンタ２０は、固有ＩＤが登録済みか否かを判定し必要であれば登録処理を行い（ステップＳ３７０〜Ｓ４００）、許可レスポンスを応答し（ステップＳ４１０）、暗号化無しのアドホックモードに切り替える（ステップＳ４２０）。一方、ステップＳ４１０の許可レスポンスを受けたデジタルカメラ３０も暗号無しのアドホックモードに切り替える（ステップＳ１８０）。次に、プリンタ２０は、暗号化に関する情報を含む無線設定を動的に生成し（ステップＳ４３０）デジタルカメラ３０から取得した暗号化キーにより無線設定を暗号化してこれをＴＣＰ/ＩＰプロトコルで送信する（ステップＳ４４０）。これを受けたデジタルカメラ３０は、自らの暗号化キーで無線設定を復号化し暗号化アドホックモードに切り替え（ステップＳ２００）、暗号化完了のＡＣＫ信号を送信する（ステップＳ２１０）。これを受けたプリンタ２０も暗号化アドホックモードに切り替える（ステップＳ４６０）。そして、プリンタ２０及びデジタルカメラ３０は、この暗号化アドホックモードで画像ファイルの通信処理を行う（ステップＳ２２０，Ｓ４７０）。この通信が終了すると、プリンタ２０は、インフラストラクチャモードに切り替え（ステップＳ４９０）、受信した画像ファイルを印刷機構２６で印刷処理し（ステップＳ５００）、このルーチンを終了するのである。
【００３４】
ここで、本実施形態の構成要素と本発明の構成要素との対応関係を明らかにする。本実施形態のプリンタ２０が本発明の処理実行装置に相当し、このうち、無線Ｉ／Ｆボード２８が切替送受信手段に相当し、無線モード切替部２５が切替実行手段に相当し、ＣＰＵ２２が暗号生成手段及び実行制御手段に相当し、印刷機構２６が印刷実行手段に相当する。また、デジタルカメラ３０が処理要求装置に相当し、このうち、無線Ｉ／Ｆボード３８がアドホック送受信手段に相当し、ＣＰＵ３２が要求制御手段に相当し、撮像ユニット３６が撮像手段に相当する。また、拡張情報がアドホック要求に相当し、印刷処理が所定の処理に相当し、無線設定が実行側暗号情報に相当し、暗号化キーが要求側暗号情報に相当し、リクエストの拡張部がプローブリクエストの拡張領域に相当し、記録紙Ｓが印刷媒体に相当する。なお、本実施形態では、印刷要求実行システム１０の動作を説明することにより本発明の処理要求装置及び処理実行装置の制御方法の一例も明らかにしている。
【００３５】
以上詳述した本実施形態の印刷要求実行システム１０によれば、プリンタ２０がアドホックモードとインフラストラクチャモードとを切替可能であり無線によりデジタルカメラ３０へ情報を送信及び受信可能であり、デジタルカメラ３０からアドホックモードで通信を行うリクエストを受信したときにはプリンタ２０がアドホックモードに切り替え、プリンタ２０が動的に今回の印刷処理用の暗号化に関する情報を含む無線設定を生成し、生成した無線設定をデジタルカメラ３０へ送信し、この無線設定を用いて暗号化したアドホックモードでプリンタ２０とデジタルカメラ３０とが情報を送受信する。したがって、デジタルカメラ３０からアドホックモードでの通信要求を受信するだけでプリンタ２０がアドホックモードの無線通信に切り替わるため、より簡便にアドホックモードの無線通信を行うことができる。また、アドホックモードでの通信要求があると、動的に今回の印刷処理用の暗号化に関する情報を含む無線設定を生成し、これを用いて通信するため、次回にはデジタルカメラ３０が今回の無線設定を用いることができないから、携帯可能なデジタルカメラ３０との間の通信に対してより高いセキュリティでアドホックモードの無線通信を行うことができる。また、携帯して移動可能なデジタルカメラ３０との間では、固定的に用いられるインフラストラクチャモードの無線の設定をデジタルカメラ３０に入力して通信するよりも、１対１によるアドホックモードを用いて印刷する画像データを通信する方がセキュリティの面からみて好ましい。特に、本発明では、部外のユーザにインフラストラクチャモードの無線ＬＡＮの設定を伝えなくても印刷処理を実行可能であるため、より高いセキュリティを確保することができる。更に、デジタルカメラ３０からの暗号化キーを用いて無線設定に暗号化を行いこれをデジタルカメラ３０へ送信するため、無線設定をそのままデジタルカメラ３０へ送信するものに比して、携帯可能なデジタルカメラ３０との間の通信に対して一層高いセキュリティでアドホックモードの無線通信を行うことができる。更にまた、プローブリクエストの拡張部にアドホックで通信する旨の拡張情報が格納されているため、比較的容易にアドホックモードで通信するか否かを判定することができる。そして、デジタルカメラ３０は、携帯して移動可能であり、アドホックモードでネットワークに参加したいことが多いため、本発明を適用する意義が高い。
【００３６】
なお、本発明は上述した実施形態に何ら限定されることはなく、本発明の技術的範囲に属する限り種々の態様で実施し得ることはいうまでもない。
【００３７】
例えば、上述した実施形態では、デジタルカメラ３０から暗号化キーを送信しこの暗号化キーにより無線設定をプリンタ２０が送信するものとしたが、これを省略してもよい。こうしても、無線設定を利用して暗号化アドホックモードで通信するため、より高いセキュリティでアドホックモードの無線通信を行うことができる。
【００３８】
上述した実施形態では、プリンタ２０でデジタルカメラ３０の固有ＩＤを登録するものとしたが、この処理を省略してもよい。
【００３９】
上述した実施形態では、図４に示すように、デジタルカメラ３０のアドホックモードへの切り替え（ステップＳ１８０）とプリンタ２０のアドホック切り替え（ステップＳ４２０）までに、複数回のリクエスト送信とレスポンス送信を行うものとしたが、拡張情報を含むリクエスト送信とその接続を許可するレスポンスとを少なくとも１回行うものとすれば、これらのいずれかを省略してもよい。上述した実施例では、デジタルカメラ３０から暗号化キーを送信する前にアドホックモードでの接続確認を行うことにより、暗号化キーの傍受を防ぎセキュリティの低下を防ぐものとしたが、こうすれば、処理が簡便になる。このとき、プリンタ２０の状態情報のリクエストと（ステップＳ１１０）、印刷要求のリクエストと（ステップＳ１３０）、固有ＩＤや暗号化キーなどを送信するリクエストと（ステップＳ１５０）のうちいずれか１以上を同じリクエストに含めてプリンタ２０へ送信するものとしてもよい。
【００４０】
上述した実施形態では、ステップＳ４４０で無線設定をＴＣＰ／ＩＰプロトコルで送信するものとしたが、リクエストに含めて送信するものとしてもよい。こうしても、その後暗号化アドホックモードで通信することができる。
【００４１】
上述した実施形態では、デジタルカメラ３０を本発明の処理要求装置として説明したが、携帯して移動可能であり無線のアドホックモードで通信するものであれば特に限定されず、例えば、画像を再生するピクチャービューワや、デジタルビデオ、カメラ付き携帯電話、モバイルＰＣなどに適用してもよい。また、プリンタ２０を本発明の処理実行装置として説明したが、無線のアドホックモードで通信するものであれば特に限定されず、例えば、ＰＣやスキャナ、テレビ、ビデオデッキ（ＨＤＤ−ＤＶＤレコーダなどを含む）、印刷サーバなどに適用してもよい。このとき、本発明の所定の処理としては、データの記憶処理、データの読取処理、データの表示処理、データの保存処理などとしてもよい。また、プリンタ２０は、スキャナを備えたマルチファンクションプリンタ、ＦＡＸなどとしてもよいし、印刷機構２６は、電子写真方式のカラーレーザプリンタや、熱転写方式のカラープリンタや、ドットインパクト方式のカラープリンタとしてもよいし、これらのモノクロプリンタとしてもよい。更に、プリンタ２０やデジタルカメラ３０の態様で説明したが、これらの制御方法の態様としてもよいし、これらの方法のプログラムの態様としてもよい。
【図面の簡単な説明】
【００４２】
【図１】印刷要求実行システム１０の構成の概略を示す構成図である。
【図２】アドホック処理要求ルーチンの一例を示すフローチャートである。
【図３】アドホック処理実行ルーチンの一例を示すフローチャートである。
【図４】各処理及び通信の様子をシーケンシャルに示す説明図である。
【符号の説明】
【００４３】
１０  印刷要求実行システム、１２  アクセスポイント、１４  無線ＬＡＮ、１６，１８  ユーザパソコン（ＰＣ）、２０  プリンタ、２１  コントローラ、２２  ＣＰＵ、２３  フラッシュＲＯＭ、２４  ＲＡＭ、２５  無線モード切替部、２６  印刷機構、２７  操作パネル、２７ａ  表示部、２７ｂ  操作部、２８  無線インタフェース（Ｉ／Ｆ）ボード、２９  バス、３０  デジタルカメラ、３１  コントローラ、３２  ＣＰＵ、３３  フラッシュＲＯＭ、３４  ＲＡＭ、３５  無線モード切替部、３６  撮像ユニット、３７  操作パネル、３７ａ  表示部、３７ｂ  操作部、３８  無線インタフェース（Ｉ／Ｆ）ボード、３９  バス、Ｓ  記録紙。
【図１】
2008211638.tif 000003
【図２】
2008211638.tif 000004
【図３】
2008211638.tif 000005
【図４】
2008211638.tif 000006